(57)【要約】【課題】乱流が生じる放水路でもスポンジボールの回収が可能なスポンジボールの回収方法及び回収装置を提供する。【解決手段】スポンジボールの回収方法は、放水路Ｄに抑止スクリーンを配置してスポンジボールの下流への流出を抑止し、下流側の面から突出した捕集部を有する捕捉スクリーン１０を抑止スクリーンの上流側に配置する。そして、抑止スクリーンの上流側で旋回するスポンジボールを捕捉スクリーン１０の下流側の面で捕捉し、捕捉されたスポンジボールを捕集部で捕集する。【選択図】図１
2014221460.tif 000002
【特許請求の範囲】
【請求項１】
放水路に抑止スクリーンを配置してスポンジボールの下流への流出を抑止し、
下流側の面から前記抑止スクリーンへ向けて突出した捕集部を有する捕捉スクリーンを前記抑止スクリーンの上流側に配置し、
前記抑止スクリーンの上流側で旋回する前記スポンジボールを前記捕捉スクリーンの下流側の面で捕捉し、
捕捉した前記スポンジボールを前記捕集部で捕集する、
ことを特徴とするスポンジボールの回収方法。
【請求項２】
前記捕捉スクリーンの下端と前記放水路の底面とを所定間隔離間させて前記捕捉スクリーンを配置し、
前記捕捉スクリーンの上流側から前記捕捉スクリーンの下端と前記放水路の底面との間を通過し、乱流によって旋回する前記スポンジボールを前記捕捉スクリーンで捕捉する、
ことを特徴とする請求項１に記載のスポンジボールの回収方法。
【請求項３】
前記抑止スクリーンと前記捕捉スクリーンとを所定間隔離間させて前記捕捉スクリーンを配置し、
前記抑止スクリーンと前記捕捉スクリーンで挟まれた領域内を旋回する前記スポンジボールを前記捕捉スクリーンで捕捉する、
ことを特徴とする請求項１又は２に記載のスポンジボールの回収方法。
【請求項４】
前記抑止スクリーンとして、それぞれ独立に昇降可能な上流側抑止スクリーンと下部に掻き上げ部を有し前記上流側抑止スクリーンの下流側に配置される下流側抑止スクリーンとを用い、
前記上流側抑止スクリーンが前記放水路に配置された状態で、前記下流側抑止スクリーンを下降させて前記放水路に配置した後、前記上流側抑止スクリーンを上昇させて前記放水路から引き上げて清掃し、
前記上流側抑止スクリーンを下降させて前記放水路に再度配置した後、前記下流側抑止スクリーンを上昇させて、前記上流側抑止スクリーンと前記下流側抑止スクリーンとの間に留まった前記スポンジボールを前記掻き上げ部で掻き上げ、前記上流側抑止スクリーンの上流側に前記スポンジボールを落として前記捕捉スクリーンで捕捉させる、
ことを特徴とする請求項１乃至３のいずれか一項に記載のスポンジボールの回収方法。
【請求項５】
放水路に設置されスポンジボールの流出を抑止する抑止スクリーンと、
前記抑止スクリーンの上流側に配置される捕捉スクリーンと、
前記捕捉スクリーンの下流側の面から前記抑止スクリーンへ向けて突出して設置される捕集部と、を備え、
前記抑止スクリーンの上流側で旋回する前記スポンジボールを前記捕捉スクリーンの下流側の面で捕捉し、捕捉された前記スポンジボールを前記捕集部に捕集させる、
ことを特徴とするスポンジボール回収装置。
【請求項６】
前記捕集部は上方が開口した網体である、
ことを特徴とする請求項５に記載のスポンジボール回収装置。
【請求項７】
前記捕捉スクリーンを昇降させる昇降装置を備える、
ことを特徴とする請求項５又は６に記載のスポンジボール回収装置。
【請求項８】
前記捕捉スクリーンを前記放水路に沿って移動させる移動装置を備える、
ことを特徴とする請求項５乃至７のいずれか一項に記載のスポンジボール回収装置。
【請求項９】
前記抑止スクリーンとして、それぞれ独立に昇降可能な上流側抑止スクリーンと前記上流側抑止スクリーンの下流側に配置される下流側抑止スクリーンと、を備え、
前記下流側抑止スクリーンの下部に掻き上げ部を有し、
前記下流側抑止スクリーンが下降して前記放水路に配置された後、前記上流側抑止スクリーンが上昇して前記放水路から引き上げられ、
前記上流側抑止スクリーンが下降して前記放水路に再度配置された後、前記下流側抑止スクリーンが上昇し、前記上流側抑止スクリーンと前記下流側抑止スクリーンとの間に留まった前記スポンジボールを前記掻き上げ部で掻き上げ、前記掻き上げ部が前記上流側抑止スクリーンの上端まで上昇して前記スポンジボールを前記上流側抑止スクリーンの上流側に落として前記捕捉スクリーンで捕捉させる、
ことを特徴とする請求項５乃至８のいずれか一項に記載のスポンジボールの回収装置。
【発明の詳細な説明】
【技術分野】
【０００１】
本発明は、スポンジボールの回収方法及び回収装置に関する。
【背景技術】
【０００２】
火力発電所や原子力発電所などの蒸気タービンを回転させて発電を行う施設では、蒸気タービンから排出された蒸気を復水器で冷却して回収している。復水器では、海水などの冷却水を通す多数の細管を備え、この細管を介して冷却水と蒸気との間で熱交換を行い、蒸気を冷却して水に戻している。熱交換に用いられた冷却水は放水路を通じて海に排水される。
【０００３】
復水器の細管にスケール等が付着すると熱伝導率の低下が生じる。このため、冷却水にスポンジボールを混入させ、スポンジボールで細管に付着したスケール等の除去を行っている。スポンジボールは復水器の出口側に設置される捕集器で収集され、再度冷却水に混入されて再利用される。
【０００４】
万が一、全てのスポンジボールを捕集器で回収できなかった場合、スポンジボールが放水路を通じて海へ流出する可能性がある。このため、スポンジボールが海へ流出しないよう、放水路にはスポンジボールを回収する装置が設置される。
【０００５】
例えば、特許文献１では、放水路を横断して配置され、スポンジボールを捕捉するスクリーンと、スクリーンの下部に捕捉したスポンジボールを受ける受け部を有する回収装置が開示されている。
【先行技術文献】
【特許文献】
【０００６】
【特許文献１】特開平１０−３９０９３号公報
【発明の概要】
【発明が解決しようとする課題】
【０００７】
特許文献１では、放水路における水流が整流の場合ではスポンジボールが捕捉スクリーンに捕捉され得る。しかしながら、乱流が生じる放水路もある。乱流が生じる放水路では、スポンジボールが捕捉スクリーンに捕捉されず、乱流に乗って捕捉スクリーンの上流側を回遊することになる。その結果、受け部でスポンジボールを受けることができず、スポンジボールの回収ができないという課題がある。
【０００８】
本発明は、上記事項に鑑みてなされたものであり、その目的とするところは、乱流が生じる放水路でもスポンジボールの回収が可能なスポンジボールの回収方法及び回収装置を提供することにある。
【課題を解決するための手段】
【０００９】
本発明の第１の観点に係るスポンジボールの回収方法は、
放水路に抑止スクリーンを配置してスポンジボールの下流への流出を抑止し、
下流側の面から前記抑止スクリーンへ向けて突出した捕集部を有する捕捉スクリーンを前記抑止スクリーンの上流側に配置し、
前記抑止スクリーンの上流側で旋回する前記スポンジボールを前記捕捉スクリーンの下流側の面で捕捉し、
捕捉した前記スポンジボールを前記捕集部で捕集する、
ことを特徴とする。
【００１０】
また、前記捕捉スクリーンの下端と前記放水路の底面とを所定間隔離間させて前記捕捉スクリーンを配置し、
前記捕捉スクリーンの上流側から前記捕捉スクリーンの下端と前記放水路の底面との間を通過し、乱流によって旋回する前記スポンジボールを前記捕捉スクリーンで捕捉することが好ましい。
【００１１】
また、前記抑止スクリーンと前記捕捉スクリーンとを所定間隔離間させて前記捕捉スクリーンを配置し、
前記抑止スクリーンと前記捕捉スクリーンで挟まれた領域内を旋回する前記スポンジボールを前記捕捉スクリーンで捕捉することが好ましい。
【００１２】
また、前記抑止スクリーンとして、それぞれ独立に昇降可能な上流側抑止スクリーンと下部に掻き上げ部を有し前記上流側抑止スクリーンの下流側に配置される下流側抑止スクリーンとを用い、
前記上流側抑止スクリーンが前記放水路に配置された状態で、前記下流側抑止スクリーンを下降させて前記放水路に配置した後、前記上流側抑止スクリーンを上昇させて前記放水路から引き上げて清掃し、
前記上流側抑止スクリーンを下降させて前記放水路に再度配置した後、前記下流側抑止スクリーンを上昇させて、前記上流側抑止スクリーンと前記下流側抑止スクリーンとの間に留まった前記スポンジボールを前記掻き上げ部で掻き上げ、前記上流側抑止スクリーンの上流側に前記スポンジボールを落として前記捕捉スクリーンで捕捉させることが好ましい。
【００１３】
本発明の第２の観点に係るスポンジボールの回収装置は、
放水路に設置されスポンジボールの流出を抑止する抑止スクリーンと、
前記抑止スクリーンの上流側に配置される捕捉スクリーンと、
前記捕捉スクリーンの下流側の面から前記抑止スクリーンへ向けて突出して設置される捕集部と、を備え、
前記抑止スクリーンの上流側で旋回する前記スポンジボールを前記捕捉スクリーンの下流側の面で捕捉し、捕捉された前記スポンジボールを前記捕集部に捕集させる、
ことを特徴とする。
【００１４】
また、前記捕集部は上方が開口した網体であってもよい。
【００１５】
また、前記捕捉スクリーンを昇降させる昇降装置を備えることが好ましい。
【００１６】
また、前記捕捉スクリーンを前記放水路に沿って移動させる移動装置を備えることが好ましい。
【００１７】
また、前記抑止スクリーンとして、それぞれ独立に昇降可能な上流側抑止スクリーンと前記上流側抑止スクリーンの下流側に配置される下流側抑止スクリーンと、を備え、
前記下流側抑止スクリーンの下部に掻き上げ部を有し、
前記下流側抑止スクリーンが下降して前記放水路に配置された後、前記上流側抑止スクリーンが上昇して前記放水路から引き上げられ、
前記上流側抑止スクリーンが下降して前記放水路に再度配置された後、前記下流側抑止スクリーンが上昇し、前記上流側抑止スクリーンと前記下流側抑止スクリーンとの間に留まった前記スポンジボールを前記掻き上げ部で掻き上げ、前記掻き上げ部が前記上流側抑止スクリーンの上端まで上昇して前記スポンジボールを前記上流側抑止スクリーンの上流側に落として前記捕捉スクリーンで捕捉させることが好ましい。
【発明の効果】
【００１８】
本発明に係るスポンジボールの回収方法及び回収装置では、乱流が生じる放水路であってもスポンジボールを回収することができる。
【図面の簡単な説明】
【００１９】
【図１】スポンジボールの回収装置の概略構成図である。
【図２】捕捉スクリーンの側面図（図２（Ａ））及び正面図（図２（Ｂ））である。
【図３】スポンジボールの回収の際の動作を示す説明図である。
【図４】スポンジボールの回収の際の動作を示す説明図である。
【図５】スポンジボールの回収の際の動作を示す説明図である。
【図６】上流側抑止スクリーンの清掃の際の動作を示す説明図である。
【図７】上流側抑止スクリーンの清掃の際の動作を示す説明図である。
【図８】上流側抑止スクリーンの清掃の際の動作を示す説明図である。
【図９】他の形態に係るスポンジボールの回収装置の概略構成図である。
【図１０】実施例における水路のモデルの平面図である。
【図１１】図１０のＡ−Ａ’断面図である。
【図１２】実験２における実験条件を説明する図である。
【図１３】実験３における実験条件を説明する図である。
【発明を実施するための形態】
【００２０】
本実施の形態に係るスポンジボールの回収方法は、回収装置を利用して行われる。まず、回収装置１の構成について説明する。
【００２１】
回収装置１は、図１に示すように、捕捉スクリーン１０、上流側抑止スクリーン２０、下流側抑止スクリーン３０及び駆動装置４０を備える。
【００２２】
捕捉スクリーン１０は、図２（Ａ）、（Ｂ）に示すように、枠１１と網１２と吊り下げ部１３と捕集部１４を備える。捕捉スクリーン１０は、上流側抑止スクリーン２０及び下流側抑止スクリーン３０の上流側に配置される。
【００２３】
枠１１は放水路Ｄの断面形状に応じた形状であり、ここでは矩形に形成されている。枠１１は、金属等の硬材から構成される。枠１１の横幅は放水路の幅より短く形成されている。
【００２４】
網１２は枠１１内全域に張られている。網１２の目はスポンジボールが流出しない程度に設定される。なお、枠１１は、内側領域に格子状に骨組みが配置されて、補強されていてもよい。
【００２５】
吊り下げ部１３は枠１１の上辺に設置されている。吊り下げ部１３には孔が形成されており、この孔に駆動装置４０のフック等がかけられ、駆動装置４０によって捕捉スクリーン１０が昇降可能に構成されている。
【００２６】
捕集部１４は、捕捉スクリーン１０の網１２に捕捉されたスポンジボールを捕集する機能を有する。捕集部１４は、捕捉スクリーン１０の下流側の面から突出して設置されている。捕集部１４は、枠１４ａと網１４ｂから構成されている。捕集部１４の上方が開口しており、捕集部１４の下流側への突出幅はスポンジボールの直径よりも大きく設定されている。
【００２７】
上流側抑止スクリーン２０は、放水路Ｄに配置され、スポンジボールの下流への流出を抑止する機能を果たす。上流側抑止スクリーン２０は、放水路Ｄの断面形状に応じた形状の枠と、枠の全面に張られた網から構成される。網は水を通過させつつ、スポンジボールを通過させない網目を有する。上流側抑止スクリーン２０は、不図示の昇降装置により、昇降可能に構成されている。
【００２８】
下流側抑止スクリーン３０は、上流側抑止スクリーン２０の下流側に配置される。下流側抑止スクリーン３０は、不図示の昇降装置により、昇降可能に構成されており、上流側抑止スクリーン２０の清掃を行う際に放水路Ｄに配置され、上流側抑止スクリーン２０と同様にスポンジボールの下流への流出を抑止する機能を果たす。下流側抑止スクリーン３０は、水を通過させつつ、スポンジボールを通過させない程度の目の網から構成される。また、下流側抑止スクリーン３０の下端には、掻き上げ部３１を有する。掻き上げ部３１は、下流側抑止スクリーン３０の上流側の面から突出し、上流側抑止スクリーン２０の下流側の面の近傍まで延在している。掻き上げ部３１は、板体などから構成されており、下方に向けて傾斜させて設置されている。
【００２９】
駆動装置４０は、捕捉スクリーン１０の昇降を行う。駆動装置４０は、捕捉スクリーン１０の昇降を行い得る装置であれば、どのような機構で構成されていてもよい。例えば、クレーン等のワイヤーの巻き上げ・下げ機構などが挙げられる。また、駆動装置４０は、捕捉スクリーン１０の昇降量を制御する不図示の制御装置に基づいて駆動される。
【００３０】
また、駆動装置４０は、ガイドレール４１に沿って移動可能に構成されている。即ち、放水路Ｄの上流−下流方向に移動可能であり、捕捉スクリーン１０を放水路Ｄに沿って移動させる。駆動装置４０は捕捉スクリーン１０を放水路Ｄに沿って移動させることが可能であれば、公知の種々の機構で構成されていてもよい。
【００３１】
続いて、回収装置１を用いたスポンジボールの回収方法について説明する。
【００３２】
通常時では、図３に示すように、上流側抑止スクリーン２０が放水路Ｄに配置されている。上流側抑止スクリーン２０は、放水路Ｄを横切って配置される。スポンジボールＳＢは上流側抑止スクリーン２０の網を通過できないので、上流側抑止スクリーン２０の下流側へのスポンジボールＳＢの流出が抑制される。
【００３３】
放水路Ｄにおける水の流れは、底面付近での流速が大きく、表層付近では流速が小さくなりやすい。この流速の差から、底面付近を流れる水が上昇流となり、矢印にて示すように、旋回流（乱流）が生じる。このため、放水路Ｄに流れ込んだスポンジボールＳＢも同様に、上流側抑止スクリーン２０でその進行を阻まれて、乱流に乗って上流側抑止スクリーン２０の上流側で旋回することになる。
【００３４】
続いて、図４に示すように、捕捉スクリーン１０を下降させて、放水路Ｄに配置する。捕捉スクリーン１０の下端と放水路Ｄの底面との間を所定間隔あけて、捕捉スクリーン１０を配置する。
【００３５】
捕捉スクリーン１０を配置すると、スポンジボールＳＢは捕捉スクリーン１０の下端と放水路Ｄの底面との間を通過し、捕捉スクリーン１０と上流側抑止スクリーン２０とで挟まれる領域に進入する。そして、スポンジボールＳＢは、上昇流に乗って上昇して旋回し、捕捉スクリーン１０の下流側の面に捕捉される。
【００３６】
一定時間経過後、図５に示すように、捕捉スクリーン１０を上昇させ、放水路Ｄから引き上げる。捕捉スクリーン１０を引き上げる際には、捕集部１４の上方が開口しているので、捕捉スクリーン１０に捕捉されたスポンジボールＳＢが重力によって捕集部１４に捕集される。
【００３７】
以上のようにして、放水路Ｄに流れ込んだスポンジボールＳＢが回収される。このように、本実施の形態に係る回収装置１では、スポンジボールＳＢの海への流出を抑えるとともに、放水路Ｄで生じる乱流を利用し、上流側抑止スクリーン２０の上流側で旋回するスポンジボールＳＢを回収することができる。
【００３８】
なお、捕捉スクリーン１０の下端と放水路Ｄの底面との間隔（図４中に示すＹ）は、捕捉スクリーン１０が設置される放水路Ｄや流れる水の流量に応じて適宜設定される。捕捉スクリーン１０の下端と放水路Ｄの底面との間隔は、スポンジボールＳＢが通過できるよう、少なくとも、スポンジボールＳＢの直径よりも大きいことが要求される。一般的に、復水器に用いられるスポンジボールＳＢの直径は２９ｍｍ前後であることから、捕捉スクリーン１０の下端と放水路Ｄの底面との間隔は２９ｍｍよりも大きいことが要求される。また、捕捉スクリーン１０の下端と放水路Ｄの底面との間隔は、水が上流側抑止スクリーン２０に沿って上昇する上昇流れを阻害しない程度に設定されることが好ましい。例えば、捕捉スクリーン１０の下端と放水路Ｄの底面との間隔を１ｍ以上とすることが好ましい。
【００３９】
また、捕捉スクリーン１０と上流側抑止スクリーン２０との距離、より詳細には、捕集部１４の下流側先端と上流側抑止スクリーン２０との距離（図４中に示すＸ）は、捕捉スクリーン１０が設置される放水路Ｄや流れる水の流量に応じて適宜設定されるが、少なくともスポンジボールＳＢの直径よりも大きいことが要求される。また、スポンジボールＳＢの上昇を妨げないよう設定されることが好ましく、捕捉スクリーン１０と上流側抑止スクリーン２０との距離をスポンジボールＳＢの直径の５倍以上とすることが好ましい。
【００４０】
上流側抑止スクリーン２０には、藻や微生物等により目詰まりが生じるので、定期的に清掃が行われる。上流側抑止スクリーン２０の清掃を行う際、図６に示すように、下流側抑止スクリーン３０を下降させて放水路Ｄに配置した後、上流側抑止スクリーン２０を上昇させ、水中から引き上げる。そして、上流側抑止スクリーン２０の清掃が行われる。
【００４１】
上流側抑止スクリーン２０の清掃が終わった後、図７に示すように、再度上流側抑止スクリーン２０を下降させ、放水路Ｄに配置する。この際、上流側抑止スクリーン２０と下流側抑止スクリーン３０とで囲まれた領域に一部のスポンジボールＳＢが留まる。
【００４２】
その後、下流側抑止スクリーン３０を上昇させて、水中から引き上げるときに、掻き上げ部３１が上流側抑止スクリーン２０に沿って、スポンジボールＳＢを掻き上げる。そして、図８に示すように、掻き上げ部３１が上流側抑止スクリーン２０の上端まで上昇すると、掻き上げ部３１は傾斜して形成されているので、掻き上げられたスポンジボールＳＢは上流側抑止スクリーン２０の上流側へと落とされる。
【００４３】
上流側抑止スクリーン２０の上流側へ戻されたスポンジボールＳＢは、上述したように、捕捉スクリーン１０を下降させることにより、回収される。
【００４４】
なお、放水路Ｄにおける水の流れが整流である場合では、図９に示すように、捕集部１４が捕捉スクリーン１０の上流側から突出して設置されていてもよい。この場合、捕捉スクリーン１０の下端が放水路Ｄの底面まで到達するように捕捉スクリーン１０を放水路Ｄに配置すればよい。捕捉スクリーン１０の下流側及び上流側の双方に捕集部１４が設置されていることにより、水の流れが整流であっても乱流であってもスポンジボールＳＢの回収が可能である。
【実施例】
【００４５】
一般的な水路の約１／２５スケールのモデルを用いて、スポンジボールを回収できるか否か検証した。なお、スポンジボールは、一般的な大きさの１／２５スケールにすると小さすぎて確認できないため、１／３スケール（直径：約１０ｍｍ）のものを用いた。
【００４６】
（実験１）
用いた水路のモデルを図１０、１１に示す。３つの吐出口から３つの水路（水路５〜水路７）を通過し、４つの水路（水路１〜水路４）に分岐する水路を用いた。４つの水路（水路１〜水路４）にそれぞれ同じ構造の捕捉スクリーン１０及び上流側抑止スクリーン２０を配置した。捕集部１４は各捕捉スクリーン１０に２つ設置した。捕集部１４は側板のない網棚であり、網棚の取付角度（θ）は、２０°とした。
【００４７】
捕捉スクリーン１０と上流側抑止スクリーン２０との間隔（捕集部１４の先端と上流側抑止スクリーン２０との間隔）を約２０ｍｍとして、上流側抑止スクリーン２０の上流側に配置した。また、捕捉スクリーン１０の下端と水路の底面との間隔は約１２０ｍｍとした。
【００４８】
そして、０．６ｍ３／ｍｉｎの流量（それぞれの吐出口の流量）で水を流した。また、流水にはスポンジボールＳＢを計５０個混入させた。水を流し始めてから約１分経過後、それぞれの水路に配置した捕捉スクリーン１０を水路から引き上げ、捕集部１４に入っているスポンジボールＳＢの数を数えた。上記実験は２回行った。その結果を表１に示す。
【００４９】
【表１】
2014221460.tif 000003
【００５０】
（実験２）
図１２に示すように、３つの水路（水路５〜水路７）に捕捉スクリーン１０をそれぞれ配置した。捕捉スクリーン１０は、吐出口側の壁面から２０ｍｍ離間させて配置した。その他の条件は実験１と同様にしてスポンジボールＳＢの回収を行った。上記実験は２回行った。その結果を表２に示す。
【００５１】
【表２】
2014221460.tif 000004
【００５２】
本実験条件においては、捕集部１４が下流側の面に設置された捕捉スクリーン１０を上流側抑止スクリーン２０の上流側に配置することで、捕捉スクリーン１０がいずれの位置においても、スポンジボールＳＢを回収することができることを確認した。
【００５３】
（実験３）
図１３に示すように、上流側抑止スクリーン２０の上流側の面に捕集部１４を設置し、また、捕捉スクリーン１０を配置しない以外、実験１と同様にしてスポンジボールＳＢの回収を行った。また、捕集部１４である網棚の取付角度（θ）を０°、１５°、３０℃として、それぞれ行った。
【００５４】
しかしながら、網板がいずれの角度であっても、捕集部１４にはスポンジボールＳＢが入っていなかった。スポンジボールＳＢが上流側抑止スクリーン２０に吸い寄せられるものの、水路の底面からの水流に押され、すぐにボールが上流側へと移動していたためである。乱流が生じる水路においては、上流側抑止スクリーン２０の上流側の面に捕集部１４が設置されていても、スポンジボールＳＢを回収できないことを確認した。
【符号の説明】
【００５５】
１    回収装置
１０    捕捉スクリーン
１１    枠
１２    網
１３    吊り下げ部
１４    捕集部
１４ａ  枠
１４ｂ  網
２０    上流側抑止スクリーン
３０    下流側抑止スクリーン
３１    掻き上げ部
４０    駆動装置
４１    ガイドレール
Ｄ      放水路
ＳＢ    スポンジボール
【図１】
2014221460.tif 000005
【図２】
2014221460.tif 000006
【図３】
2014221460.tif 000007
【図４】
2014221460.tif 000008
【図５】
2014221460.tif 000009
【図６】
2014221460.tif 000010
【図７】
2014221460.tif 000011
【図８】
2014221460.tif 000012
【図９】
2014221460.tif 000013
【図１０】
2014221460.tif 000014
【図１１】
2014221460.tif 000015
【図１２】
2014221460.tif 000016
【図１３】
2014221460.tif 000017